【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
BEPクレード植物のプラスチドアセチル-コエンザイムAカルボキシラーゼ(ACCase)をコードする突然変異誘発されたか、又は組換えのBEPクレード植物のプラスチドACCase核酸を含むBEPクレード植物であって、前記ACCaseは、対応する野生型BEPクレード植物のプラスチドACCaseに対して1以上のアミノ酸差異を有し、該差異の少なくとも1つは、突然変異誘発の結果であり、前記1以上のアミノ酸差異を含有することによって、前記ACCaseは、対応する野生型BEPクレード植物のACCase-阻害性除草剤耐性と比較して、該ACCaseを発現するBEPクレード植物に増加したACCase-阻害性除草剤耐性を付与する、前記BEPクレード植物。
【請求項２】
前記BEPクレード植物がイネ植物である、請求項１に記載の植物。
【請求項３】
前記植物が稔性であり、且つ生育可能な種子を産生することができるものである、請求項１又は２に記載の植物。
【請求項４】
前記核酸が突然変異誘発された核酸であり、且つ前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置での非野生型アミノ酸；
b. 位置1,999(Am)に対応する位置での非野生型アミノ酸；
c. 位置2,027(Am)に対応する位置での非野生型アミノ酸；
d. 位置2,041(Am)に対応する位置での非野生型アミノ酸；
e. 位置2,096(Am)に対応する位置での非野生型アミノ酸；
f. 位置1,785(Am)に対応する位置での非野生型アミノ酸；
g. 位置1,786(Am)に対応する位置での非野生型アミノ酸；
h. 位置1,811(Am)に対応する位置での非野生型アミノ酸；
i. 位置2,049(Am)に対応する位置での非野生型アミノ酸；
j. 位置2,074(Am)に対応する位置での非野生型アミノ酸；
k. 位置2,080(Am)に対応する位置での非野生型アミノ酸；
l. 位置2,075(Am)に対応する位置での非野生型アミノ酸；
m. 位置2,078(Am)に対応する位置での非野生型アミノ酸；
n. 位置2,088(Am)に対応する位置での非野生型アミノ酸；
o. 位置2,098(Am)に対応する位置での非野生型アミノ酸；
p. 位置2,039(Am)に対応する位置での非野生型アミノ酸；
q. 位置2,059(Am)に対応する位置での非野生型アミノ酸；
r. 位置2,080(Am)に対応する位置での非野生型アミノ酸；
s. 位置2,095(Am)に対応する位置での非野生型アミノ酸；又は
t. 位置1,824(Am)に対応する位置での非野生型アミノ酸、
から選択される、請求項１〜３のいずれか１項に記載の植物。
【請求項５】
前記核酸が突然変異誘発された核酸であり、且つ前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置でのロイシン、アラニン、バリン若しくはトレオニン置換；
b. 位置1,999(Am)に対応する位置でのグリシン若しくはシステイン置換；
c. 位置2,027(Am)に対応する位置でのシステイン若しくはアルギニン置換；
d. 位置2,041(Am)に対応する位置でのアスパラギン若しくはバリン置換；
e. 位置2,096(Am)に対応する位置でのアラニン若しくはセリン置換；
f. 位置1,785(Am)に対応する位置でのグリシン置換；
g. 位置1,786(Am)に対応する位置でのプロリン置換；
h. 位置1,811(Am)に対応する位置でのアスパラギン置換；
i. 位置2,074(Am)に対応する位置でのロイシン置換；
j. 位置2,075(Am)に対応する位置でのロイシン、イソロイシン若しくはメチオニン置換又はバリンの重複；
k. 位置2,078(Am)に対応する位置でのグリシン、リジン若しくはトレオニン置換；
l. 位置2,080(Am)に対応する位置でのリジンの欠失；
m. 位置2,088(Am)に対応する位置でのフェニルアラニン、グリシン、ヒスチジン、リジン、ロイシン、アルギニン、セリン、トレオニン、バリン若しくはトリプトファン；
n. 位置2,088(Am)に対応する位置でのヒスチジン、トレオニン若しくはセリン置換；
o. 位置2,098(Am)に対応する位置でのグリシン若しくはアラニン置換；
p. 位置2,039(Am)に対応する位置でのグリシン置換；
q. 位置2,059(Am)に対応する位置でのバリン置換；
r. 位置2,080(Am)に対応する位置でのグルタミン酸置換；
s. 位置2,095(Am)に対応する位置でのグルタミン酸置換；又は
t. 位置1,824(Am)に対応する位置でのプロリン置換、
から選択される、請求項１〜４のいずれか１項に記載の植物。
【請求項６】
前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置でのトレオニン置換；
b. 位置1,785(Am)に対応する位置での非野生型アミノ酸；
c. 位置1,785(Am)に対応する位置でのグリシン置換；
d. 位置1,786(Am)に対応する位置での非野生型アミノ酸；
e. 位置1,786(Am)に対応する位置でのプロリン置換；
f. 位置1,811(Am)に対応する位置での非野生型アミノ酸；
g. 位置1,811(Am)に対応する位置でのアスパラギン置換；
h. 位置2,049(Am)に対応する位置での非野生型アミノ酸；
i. 位置2,074(Am)に対応する位置での非野生型アミノ酸；
j. 位置2,074(Am)に対応する位置でのロイシン置換；
k. 位置2,075(Am)に対応する位置での非野生型アミノ酸；
l. 位置2,075(Am)に対応する位置でのロイシン、イソロイシン若しくはメチオニン置換又はバリンの重複；
m. 位置2,078(Am)に対応する位置での非野生型アミノ酸；
n. 位置2,078(Am)に対応する位置でのリジン若しくはトレオニン置換；
o. 位置2,080(Am)に対応する位置での非野生型アミノ酸；
p. 位置2,080(Am)に対応する位置でのリジンの欠失；
q. 位置2,088(Am)に対応する位置での非野生型アミノ酸；
r. 位置2,088(Am)に対応する位置でのトリプトファン；
s. 位置2,098(Am)に対応する位置での非野生型アミノ酸；
t. 位置2,098(Am)に対応する位置でのグリシン若しくはアラニン置換；
u. 位置2,039(Am)に対応する位置での非野生型アミノ酸；
v. 位置2,039(Am)に対応する位置でのグリシン置換；
w. 位置2,059(Am)に対応する位置での非野生型アミノ酸；
x. 位置2,059(Am)に対応する位置でのバリン置換；
y. 位置2,080(Am)に対応する位置での非野生型アミノ酸；
z. 位置2,080(Am)に対応する位置でのグルタミン酸置換；
aa. 位置2,095(Am)に対応する位置での非野生型アミノ酸；
bb. 位置2,095(Am)に対応する位置でのグルタミン酸置換；
cc. 位置1,824(Am)に対応する位置での非野生型アミノ酸；又は
dd. 位置1,824(Am)に対応する位置でのプロリン置換、
から選択される、請求項１〜５のいずれか１項に記載の植物。
【請求項７】
前記プラスチドACCaseが2以上のアミノ酸差異を有する、請求項１〜６のいずれか１項に記載の植物。
【請求項８】
前記アミノ酸差異が第1のアミノ酸位置及び第2のアミノ酸位置にあり、該第1及び第2の位置がアロペクルス・ミオスロイデス(Alopecurus myosuroides：Am)のプラスチドACCaseのアミノ酸位置に対応し、該差異が、
a. 第1の位置が位置1,781(Am)に対応する位置でのロイシン置換であり、第2の位置が、
i. 位置2,041(Am)に対応する位置でのアスパラギン置換；
ii. 位置2,027(Am)に対応する位置でのシステイン置換；
iii. 位置2,075(Am)に対応する位置でのロイシン置換；
iv. 位置2,098(Am)に対応する位置でのアラニン若しくはグリシン置換；
v. 位置1,864(Am)に対応する位置でのフェニルアラニン置換；
vi. 位置2,049(Am)に対応する位置でのフェニルアラニン置換；又は
vii. 位置2,075(Am)に対応する位置でのバリンの重複；
viii. 位置1,824(Am)に対応する位置でのプロリン置換；
ix. 位置2,027(Am)に対応する位置でのアルギニン置換、
から選択される；
b. 第1の位置が位置1,999(Am)に対応する位置でのグリシン置換であり、第2の位置が、
i. 位置2,075(Am)に対応する位置でのロイシン置換；
ii. 位置2,098(Am)に対応する位置でのアラニン置換；
iii. 位置2,049(Am)に対応する位置でのイソロイシン置換；又は
iv. 位置1,864(Am)に対応する位置でのフェニルアラニン置換、
から選択される；
c. 第1の位置が位置2,088(Am)に対応する位置でのフェニルアラニン置換であり、第2の位置が位置2,098(Am)に対応する位置でのアラニン置換である；
d. 第1の位置が位置2,088(Am)に対応する位置でのグリシン置換であり、第2の位置が位置2,098(Am)に対応する位置でのグリシン置換である；
e. 第1の位置が位置2,088(Am)に対応する位置でのヒスチジン置換であり、第2の位置が位置2,098(Am)に対応する位置でのアラニン置換である；
f. 第1の位置が位置2,088(Am)に対応する位置でのヒスチジン置換であり、第2の位置が位置2,098(Am)に対応する位置でのグリシン置換である；
g. 第1の位置が位置2,088(Am)に対応する位置でのリジン置換であり、第2の位置が位置2,098(Am)に対応する位置でのアラニン置換である；
h. 第1の位置が位置2,088(Am)に対応する位置でのロイシン置換であり、第2の位置が位置2,098(Am)に対応する位置でのアラニン置換である；
i. 第1の位置が位置2,088(Am)に対応する位置でのロイシン置換であり、第2の位置が位置2,098(Am)に対応する位置でのグリシン置換である；
j. 第1の位置が位置2,088(Am)に対応する位置でのセリン置換であり、第2の位置が位置2,098(Am)に対応する位置でのグリシン置換である；
k. 第1の位置が位置2,088(Am)に対応する位置でのトレオニン置換であり、第2の位置が位置2,098(Am)に対応する位置でのアラニン置換である；
l. 第1の位置が位置2,088(Am)に対応する位置でのトレオニン置換であり、第2の位置が位置2,098(Am)に対応する位置でのグリシン置換である；
m. 第1の位置が位置2,088(Am)に対応する位置でのバリン置換であり、第2の位置が位置2,098(Am)に対応する位置でのグリシン置換である；
n. 第1の位置が位置2,088(Am)に対応する位置でのトリプトファン置換であり、第2の位置が位置2,098(Am)に対応する位置でのシステイン置換である；
o. 第1の位置が位置2,088(Am)に対応する位置でのトリプトファン置換であり、第2の位置が位置2,098(Am)に対応する位置でのセリン置換である；
p. 第1の位置が位置2,098(Am)に対応する位置でのアラニン置換であり、第2の位置が位置2,049(Am)に対応する位置でのロイシン置換である；
q. 第1の位置が位置2,088(Am)に対応する位置でのフェニルアラニン置換であり、第2の位置が位置2,098(Am)に対応する位置でのアラニン置換である；又は
r. 第1の位置が位置1,824(Am)に対応する位置でのプロリン置換であり、第2の位置が位置2,078(Am)に対応する位置でのグリシン置換である、
から選択される、請求項１〜７のいずれか１項に記載の植物。
【請求項９】
前記突然変異誘発された又は組換えACCaseがトランスジェニックではない、請求項１〜８のいずれか１項に記載の植物。
【請求項１０】
前記植物がトランスジェニックではない、請求項１〜９のいずれか１項に記載の植物。
【請求項１１】
前記ACCaseがゲノム核酸によりコードされ、且つそのアミノ酸配列として改変された配列番号２を含み、該改変された配列が前記改変を含む、請求項１〜１０のいずれか１項に記載の植物。
【請求項１２】
a. 前記植物が、各系列の種子の代表的サンプルが、それぞれ、特許受託番号PTA-10267、PTA-10568、PTA-10569、PTA-10570若しくはPTA-10571の下でAmerican Type Culture Collection(ATCC)に寄託されている、OsHPHI2、OsARWI1、OsARWI3、OsARWI8若しくはOsHPHN1系列のいずれか1つのイネ植物；又は、各系列の種子の代表的サンプルが、それぞれ、特許受託番号PTA-10267、PTA-10568、PTA-10569、PTA-10570若しくはPTA-10571の下でAmerican Type Culture Collection(ATCC)に寄託されている、OsHPHI2、OsARWI1、OsARWI3、OsARWI8若しくはOsHPHN1系列のいずれか1つの植物の突然変異体、組換え体若しくは遺伝子工学的に操作された誘導体；又は、これらの植物のいずれかの子孫である植物であり；並びに
b. 前記植物が、各系列の種子の代表的サンプルが、それぞれ、特許受託番号PTA-10267、PTA-10568、PTA-10569、PTA-10570若しくはPTA-10571の下でAmerican Type Culture Collection(ATCC)に寄託されている、OsHPHI2、OsARWI1、OsARWI3、OsARWI8若しくはOsHPHN1系列のいずれか1つの植物のACCase-阻害性除草剤耐性特性を有する、
請求項１〜１１のいずれか１項に記載の植物。
【請求項１３】
請求項１〜１２のいずれか１項に記載の植物の種子であって、該種子から生育した植物が、前記ACCaseを含み、且つそれによって、対応する野生型植物のACCase-阻害性除草剤耐性と比較して、該ACCaseを発現する前記植物に対する増加したACCase-阻害性除草剤耐性の付与を示す、前記種子。
【請求項１４】
前記種子が、ACCase-阻害性除草剤を含む除草組成物で処理されるものである、請求項１３に記載の種子。
【請求項１５】
前記除草組成物が、アリールオキシフェノキシプロパノエート若しくはシクロヘキサンジオン除草剤又はこれらの組合せを含む、請求項１４に記載の種子。
【請求項１６】
前記除草組成物が、アロキシジム、ブトロキシジム、クレトジム、クロプロキシジム、シクロキシジム、セトキシジム、テプラロキシジム、トラルコキシジム、クロラジホップ、クロジナホップ、クロホップ、ジクロホップ、フェノキサプロプ、フェノキサプロプ-P、フェンチアプロプ、フルアジホップ、フルアジホップ-P、ハロキシホップ、ハロキシホップ-P、イソキサピリホップ、プロパキザホップ、キザロホップ、キザロホップ-P、トリホップ、ピノキサデン又はこれらの塩若しくはエステル、又はこれらの組合せを含む、請求項１５に記載の種子。
【請求項１７】
請求項１〜１２のいずれか１項に記載の植物の植物細胞。
【請求項１８】
請求項１〜１２のいずれか１項に記載の植物の植物部分。
【請求項１９】
請求項１〜１２のいずれか１項に記載の植物を第2の植物と共に育種することを含む、ハイブリッド植物の作製方法であって、該ハイブリッド植物が第2の植物と比較して増加した除草剤耐性を示す、前記方法。
【請求項２０】
請求項１〜１２のいずれか１項に記載の植物から調製された製品であって、該製品が消費者製品、工業製品又は動物用製品である、前記製品。
【請求項２１】
請求項１〜２０のいずれか１項に記載のACCaseをコードする組換え又は突然変異誘発された核酸分子。
【請求項２２】
選択マーカーとしての請求項２１に記載の核酸分子の使用。
【請求項２３】
植物細胞又は植物部分中の請求項２１に記載の核酸の存在の検出方法における請求項２１に記載の核酸分子の使用。
【請求項２４】
トランスジェニック植物細胞の作製方法における請求項２１に記載の核酸分子の使用であって、前記方法は、
a. 前記核酸を植物細胞に導入すること；及び
b. 前記植物細胞をACCase阻害剤と接触させ、形質転換植物細胞を同定すること、ここで、前記核酸を発現する該形質転換植物細胞は、対応する野生型植物細胞のACCase-阻害性除草剤耐性と比較して増加したACCase-阻害性除草剤耐性を示す、
を含む、前記使用。
【請求項２５】
植物を育種する方法であって、
a. 請求項２４に記載の植物細胞を含む植物を、第2の植物と共に育種して、子孫植物を取得すること；及び
b. 前記子孫植物が前記突然変異又は組換えACCaseを発現するか否かを決定すること、
を含む、前記方法。
【請求項２６】
BEPクレード植物の周辺にある雑草を制御する方法であって、
a. BEPクレード植物のプラスチドアセチル-コエンザイムAカルボキシラーゼ(ACCase)をコードする突然変異誘発されたか、又は組換えのBEPクレード植物のプラスチドACCase核酸を含むBEPクレード植物を提供すること、ここで、前記ACCaseは、対応する野生型BEPクレード植物のプラスチドACCaseに対して1以上のアミノ酸差異を有し、該差異の少なくとも1つは、突然変異誘発の結果であり、前記1以上のアミノ酸差異を含有することによって、前記ACCaseは、対応する野生型BEPクレード植物のACCase-阻害性除草剤耐性と比較して、該ACCaseを発現するBEPクレード植物に増加したACCase-阻害性除草剤耐性を付与する；及び
b. 前記BEPクレード植物の周辺にある雑草を、該雑草の成長を阻害するのに有効な量のACCase-阻害性除草剤を含む除草組成物と接触させること、
を含む、前記方法。
【請求項２７】
前記BEPクレード植物がイネ植物である、請求項２６に記載の方法。
【請求項２８】
前記植物が稔性であり、且つ生育可能な種子を産生することができるものである、請求項２６又は２７に記載の方法。
【請求項２９】
前記核酸が突然変異誘発された核酸であり、且つ前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置での非野生型アミノ酸；
b. 位置1,999(Am)に対応する位置での非野生型アミノ酸；
c. 位置2,027(Am)に対応する位置での非野生型アミノ酸；
d. 位置2,041(Am)に対応する位置での非野生型アミノ酸；
e. 位置2,096(Am)に対応する位置での非野生型アミノ酸；
f. 位置1,785(Am)に対応する位置での非野生型アミノ酸；
g. 位置1,786(Am)に対応する位置での非野生型アミノ酸；
h. 位置1,811(Am)に対応する位置での非野生型アミノ酸；
i. 位置2,049(Am)に対応する位置での非野生型アミノ酸；
j. 位置2,074(Am)に対応する位置での非野生型アミノ酸；
k. 位置2,080(Am)に対応する位置での非野生型アミノ酸；
l. 位置2,075(Am)に対応する位置での非野生型アミノ酸；
m. 位置2,078(Am)に対応する位置での非野生型アミノ酸；
n. 位置2,088(Am)に対応する位置での非野生型アミノ酸；
o. 位置2,098(Am)に対応する位置での非野生型アミノ酸；
p. 位置2,039(Am)に対応する位置での非野生型アミノ酸；
q. 位置2,059(Am)に対応する位置での非野生型アミノ酸；
r. 位置2,080(Am)に対応する位置での非野生型アミノ酸；
s. 位置2,095(Am)に対応する位置での非野生型アミノ酸；又は
t. 位置1,824(Am)に対応する位置での非野生型アミノ酸、
から選択される、請求項２６〜２８のいずれか１項に記載の方法。
【請求項３０】
前記核酸が突然変異誘発された核酸であり、且つ前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置でのロイシン、アラニン、バリン若しくはトレオニン置換；
b. 位置1,999(Am)に対応する位置でのグリシン若しくはシステイン置換；
c. 位置2,027(Am)に対応する位置でのシステイン若しくはアルギニン置換；
d. 位置2,041(Am)に対応する位置でのアスパラギン若しくはバリン置換；
e. 位置2,096(Am)に対応する位置でのアラニン若しくはセリン置換；
f. 位置1,785(Am)に対応する位置でのグリシン置換；
g. 位置1,786(Am)に対応する位置でのプロリン置換；
h. 位置1,811(Am)に対応する位置でのアスパラギン置換；
i. 位置2,074(Am)に対応する位置でのロイシン置換；
j. 位置2,075(Am)に対応する位置でのロイシン、イソロイシン若しくはメチオニン置換又はバリンの重複；
k. 位置2,078(Am)に対応する位置でのグリシン、リジン若しくはトレオニン置換；
l. 位置2,080(Am)に対応する位置でのリジンの欠失；
m. 位置2,088(Am)に対応する位置でのフェニルアラニン、グリシン、ヒスチジン、リジン、ロイシン、アルギニン、セリン、トレオニン、バリン若しくはトリプトファン；
n. 位置2,088(Am)に対応する位置でのヒスチジン、トレオニン若しくはセリン置換；
o. 位置2,098(Am)に対応する位置でのグリシン若しくはアラニン置換；
p. 位置2,039(Am)に対応する位置でのグリシン置換；
q. 位置2,059(Am)に対応する位置でのバリン置換；
r. 位置2,080(Am)に対応する位置でのグルタミン酸置換；
s. 位置2,095(Am)に対応する位置でのグルタミン酸置換；又は
t. 位置1,824(Am)に対応する位置でのプロリン置換、
から選択される、請求項２６〜２９のいずれか１項に記載の方法。
【請求項３１】
前記1以上のアミノ酸差異が、アロペクルス・ミオスロイデス(Alopecurus myosuroides：Am)のプラスチドACCaseのアミノ酸位置に対応するアミノ酸位置にあり、該差異が、
a. 位置1,781(Am)に対応する位置でのトレオニン置換；
b. 位置1,785(Am)に対応する位置での非野生型アミノ酸；
c. 位置1,785(Am)に対応する位置でのグリシン置換；
d. 位置1,786(Am)に対応する位置での非野生型アミノ酸；
e. 位置1,786(Am)に対応する位置でのプロリン置換；
f. 位置1,811(Am)に対応する位置での非野生型アミノ酸；
g. 位置1,811(Am)に対応する位置でのアスパラギン置換；
h. 位置2,049(Am)に対応する位置での非野生型アミノ酸；
i. 位置2,074(Am)に対応する位置での非野生型アミノ酸；
j. 位置2,074(Am)に対応する位置でのロイシン置換；
k. 位置2,075(Am)に対応する位置での非野生型アミノ酸；
l. 位置2,075(Am)に対応する位置でのロイシン、イソロイシン若しくはメチオニン置換又はバリンの重複；
m. 位置2,078(Am)に対応する位置での非野生型アミノ酸；
n. 位置2,078(Am)に対応する位置でのリジン若しくはトレオニン置換；
o. 位置2,080(Am)に対応する位置での非野生型アミノ酸；
p. 位置2,080(Am)に対応する位置でのリジンの欠失；
q. 位置2,088(Am)に対応する位置での非野生型アミノ酸；
r. 位置2,088(Am)に対応する位置でのトリプトファン；
s. 位置2,098(Am)に対応する位置での非野生型アミノ酸；
t. 位置2,098(Am)に対応する位置でのグリシン若しくはアラニン置換；
u. 位置2,039(Am)に対応する位置での非野生型アミノ酸；
v. 位置2,039(Am)に対応する位置でのグリシン置換；
w. 位置2,059(Am)に対応する位置での非野生型アミノ酸；
x. 位置2,059(Am)に対応する位置でのバリン置換；
y. 位置2,080(Am)に対応する位置での非野生型アミノ酸；
z. 位置2,080(Am)に対応する位置でのグルタミン酸置換；
aa. 位置2,095(Am)に対応する位置での非野生型アミノ酸；
bb. 位置2,095(Am)に対応する位置でのグルタミン酸置換；
cc. 位置1,824(Am)に対応する位置での非野生型アミノ酸；又は
dd. 位置1,824(Am)に対応する位置でのプロリン置換、
から選択される、請求項２６〜３０のいずれか１項に記載の方法。
【請求項３２】
前記プラスチドACCaseが2以上のアミノ酸差異を有する、請求項２６〜３１のいずれか１項に記載の方法。
【請求項３３】
前記アミノ酸差異が第1のアミノ酸位置及び第2のアミノ酸位置にあり、該第1及び第2の位置がアロペクルス・ミオスロイデス(Alopecurus myosuroides：Am)のプラスチドACCaseのアミノ酸位置に対応し、該差異が、
a. 第1の位置が位置1,781(Am)に対応する位置でのロイシン置換であり、第2の位置が、
i. 位置2,041(Am)に対応する位置でのアスパラギン置換；
ii. 位置2,027(Am)に対応する位置でのシステイン置換；
iii. 位置2,075(Am)に対応する位置でのロイシン置換；
iv. 位置2,098(Am)に対応する位置でのアラニン若しくはグリシン置換；
v. 位置1,864(Am)に対応する位置でのフェニルアラニン置換；
vi. 位置2,049(Am)に対応する位置でのフェニルアラニン置換；又は
vii. 位置2,075(Am)に対応する位置でのバリンの重複；
viii. 位置1,824(Am)に対応する位置でのプロリン置換；
ix. 位置2,027(Am)に対応する位置でのアルギニン置換、
から選択される；
b. 第1の位置が位置1,999(Am)に対応する位置でのグリシン置換であり、第2の位置が、
i. 位置2,075(Am)に対応する位置でのロイシン置換；
ii. 位置2,098(Am)に対応する位置でのアラニン置換；
iii. 位置2,049(Am)に対応する位置でのイソロイシン置換；又は
iv. 位置1,864(Am)に対応する位置でのフェニルアラニン置換、
から選択される；
c. 第1の位置が位置2,088(Am)に対応する位置でのフェニルアラニン置換であり、第2の位置が位置2,098(Am)に対応する位置でのアラニン置換である；
d. 第1の位置が位置2,088(Am)に対応する位置でのグリシン置換であり、第2の位置が位置2,098(Am)に対応する位置でのグリシン置換である；
e. 第1の位置が位置2,088(Am)に対応する位置でのヒスチジン置換であり、第2の位置が位置2,098(Am)に対応する位置でのアラニン置換である；
f. 第1の位置が位置2,088(Am)に対応する位置でのヒスチジン置換であり、第2の位置が位置2,098(Am)に対応する位置でのグリシン置換である；
g. 第1の位置が位置2,088(Am)に対応する位置でのリジン置換であり、第2の位置が位置2,098(Am)に対応する位置でのアラニン置換である；
h. 第1の位置が位置2,088(Am)に対応する位置でのロイシン置換であり、第2の位置が位置2,098(Am)に対応する位置でのアラニン置換である；
i. 第1の位置が位置2,088(Am)に対応する位置でのロイシン置換であり、第2の位置が位置2,098(Am)に対応する位置でのグリシン置換である；
j. 第1の位置が位置2,088(Am)に対応する位置でのセリン置換であり、第2の位置が位置2,098(Am)に対応する位置でのグリシン置換である；
k. 第1の位置が位置2,088(Am)に対応する位置でのトレオニン置換であり、第2の位置が位置2,098(Am)に対応する位置でのアラニン置換である；
l. 第1の位置が位置2,088(Am)に対応する位置でのトレオニン置換であり、第2の位置が位置2,098(Am)に対応する位置でのグリシン置換である；
m. 第1の位置が位置2,088(Am)に対応する位置でのバリン置換であり、第2の位置が位置2,098(Am)に対応する位置でのグリシン置換である；
n. 第1の位置が位置2,088(Am)に対応する位置でのトリプトファン置換であり、第2の位置が位置2,098(Am)に対応する位置でのシステイン置換である；
o. 第1の位置が位置2,088(Am)に対応する位置でのトリプトファン置換であり、第2の位置が位置2,098(Am)に対応する位置でのセリン置換である；
p. 第1の位置が位置2,098(Am)に対応する位置でのアラニン置換であり、第2の位置が位置2,049(Am)に対応する位置でのロイシン置換である；
q. 第1の位置が位置2,088(Am)に対応する位置でのフェニルアラニン置換であり、第2の位置が位置2,098(Am)に対応する位置でのアラニン置換である；又は
r. 第1の位置が位置1,824(Am)に対応する位置でのプロリン置換であり、第2の位置が位置2,078(Am)に対応する位置でのグリシン置換である、
から選択される、請求項２６〜３２のいずれか１項に記載の方法。
【請求項３４】
前記除草組成物が、アリールオキシフェノキシプロパノエート若しくはシクロヘキサンジオン除草剤又はこれらの組合せを含む、請求項２６〜３３のいずれか１項に記載の方法。
【請求項３５】
前記除草組成物がキザロホップ又はその塩若しくはエステルを含む、請求項３４に記載の方法。
【請求項３６】
前記除草組成物が、アロキシジム、ブトロキシジム、クレトジム、クロプロキシジム、シクロキシジム、セトキシジム、テプラロキシジム、トラルコキシジム、クロラジホップ、クロジナホップ、クロホップ、ジクロホップ、フェノキサプロプ、フェノキサプロプ-P、フェンチアプロプ、フルアジホップ、フルアジホップ-P、ハロキシホップ、ハロキシホップ-P、イソキサピリホップ、プロパキザホップ、キザロホップ、キザロホップ-P、トリホップ、ピノキサデン又はこれらの塩若しくはエステル、又はこれらの組合せを含む、請求項３４に記載の方法。